(57)【特許請求の範囲】
【請求項１】
少なくとも１つのプロセッサと、
コンピュータプログラムインストラクションを記憶する少なくとも１つのメモリと、
を備え、前記コンピュータプログラムインストラクションを伴う前記少なくとも１つのメモリは、装置が、少なくとも、
アップリンクシグナリングに使用できるＸ個のアップリンクコントロールチャンネルリソースがあることを決定し、
そのＸ個のアップリンクコントロールチャンネルリソースの各々を、独特の時刻を各々定義する複数のサブチャンネルへとサブチャンネル化し、
コントロール情報のＹ個のユニットの各々に対してサブチャンネルの１つと変調との独特の組み合わせを選択し、ここで、Ｘ及びＹは、各々、１より大きな整数であり、
各々の選択された組み合わせに基づきＸ個のアップリンクコントロールチャンネルリソースに関するコントロール情報のＹ個のユニットを送信する、
ようにさせるよう前記少なくとも１つのプロセッサとで構成された装置。
【請求項２】
前記複数のサブチャンネルは、個々のスロットのデータ部分及び基準信号部分を含む、請求項１に記載の装置。
【請求項３】
前記複数のサブチャンネルは、異なるスロットを含み、そしてそれらスロットは互いに隣接する、請求項１に記載の装置。
【請求項４】
前記アップリンクコントロールチャンネルリソースは、ＰＵＣＣＨフォーマット１ａ又は１ｂリソースであり、更に、前記サブチャンネルの数は、複数の利用可能なＰＵＣＣＨリソースの数Ｘの２倍に等しい、請求項１から３のいずれかに記載の装置。
【請求項５】
Ｙ＝２Ｘである、請求項４に記載の装置。
【請求項６】
前記アップリンクシグナリングは、ＡＣＫ、ＮＡＫ及びＤＴＸシグナリングの少なくとも１つであり、そしてコントロール情報の各ユニットは、１ビットである、請求項１から３のいずれかに記載の装置。
【請求項７】
各変調は、少なくとも１つのメモリにおいてアップリンクリソースの対／グループに関連され、そして変調は、利用可能なアップリンクリソースを使用して少なくとも１つのメモリにアクセスすることにより決定される、請求項１から３のいずれかに記載の装置。
【請求項８】
前記装置は、ＬＴＥシステムにおいて動作するユーザ装置を含む、請求項１から３のいずれかに記載の装置。
【請求項９】
アップリンクシグナリングに使用できるＸ個のアップリンクコントロールチャンネルリソースがあることを決定する段階と、
そのＸ個のアップリンクコントロールチャンネルリソースの各々を、独特の時刻を各々定義する複数のサブチャンネルへとサブチャンネル化する段階と、
コントロール情報のＹ個のユニットの各々に対してサブチャンネルの１つと変調との独特の組み合わせを選択する段階であって、Ｘ及びＹは、各々、１より大きな整数である段階と、
各々の選択された組み合わせに基づきＸ個のアップリンクコントロールチャンネルリソースに関するコントロール情報のＹ個のユニットを送信する段階と、
を備えた方法。
【請求項１０】
前記複数のサブチャンネルは、個々のスロットのデータ部分及び基準信号部分を含む、請求項９に記載の方法。
【請求項１１】
前記複数のサブチャンネルは、異なるスロットを含み、そしてそれらスロットは互いに隣接する、請求項９に記載の方法。
【請求項１２】
前記アップリンクコントロールチャンネルリソースは、ＰＵＣＣＨフォーマット１ａ又は１ｂリソースであり、更に、前記サブチャンネルの数は、複数の利用可能なＰＵＣＣＨリソースの数Ｘの２倍に等しい、請求項９から１１のいずれかに記載の方法。
【請求項１３】
Ｙ＝２Ｘである、請求項１２に記載の方法。
【請求項１４】
前記アップリンクシグナリングは、ＡＣＫ、ＮＡＫ及びＤＴＸシグナリングの少なくとも１つであり、そしてコントロール情報の各ユニットは、１ビットである、請求項９から１１のいずれかに記載の方法。
【請求項１５】
各変調は、コンピュータ読み取り可能なメモリにおいてアップリンクリソースの対／グループに関連され、そして変調は、利用可能なアップリンクリソースを使用してコンピュータ読み取り可能なメモリにアクセスすることにより決定される、請求項９ないし１１のいずれかに記載の方法。
【請求項１６】
ＬＴＥシステムにおいて動作するユーザ装置により実行される、請求項９ないし１１のいずれかに記載の方法。
【請求項１７】
少なくとも１つのプロセッサによって実行されたときに、
アップリンクシグナリングに使用できるＸ個のアップリンクコントロールチャンネルリソースがあることを決定し、
そのＸ個のアップリンクコントロールチャンネルリソースの各々を、独特の時刻を各々定義する複数のサブチャンネルへとサブチャンネル化し、
コントロール情報のＹ個のユニットの各々に対してサブチャンネルの１つと変調との独特の組み合わせを選択し、ここで、Ｘ及びＹは、各々、１より大きな整数であり、
各々の選択された組み合わせに基づきＸ個のアップリンクコントロールチャンネルリソースに関するコントロール情報のＹ個のユニットを送信する、
ことを含むアクションを生じさせるコンピュータプログラムインストラクションを記憶するコンピュータ読み取り可能なメモリ。
【請求項１８】
前記複数のサブチャンネルは、個々のスロットのデータ部分及び基準信号部分を含む、請求項１７に記載のコンピュータ読み取り可能なメモリ。
【請求項１９】
前記複数のサブチャンネルは、異なるスロットを含み、そしてそれらスロットは互いに隣接する、請求項１７に記載のコンピュータ読み取り可能なメモリ。
【請求項２０】
前記アップリンクコントロールチャンネルリソースは、ＰＵＣＣＨフォーマット１ａ又は１ｂリソースであり、
前記サブチャンネルの数は、複数の利用可能なＰＵＣＣＨリソースの数Ｘの２倍に等しく、
前記アップリンクシグナリングは、ＡＣＫ、ＮＡＫ及びＤＴＸシグナリングの少なくとも１つであり、そして
コントロール情報の各ユニットは、１ビットである、請求項１７から１９のいずれかに記載のコンピュータ読み取り可能なメモリ。
【発明の詳細な説明】
【技術分野】
【０００１】
本発明の規範的な非限定実施形態は、一般的に、ワイヤレス通信システム、方法、装置及びコンピュータプログラムに係り、より詳細には、ワイヤレス通信システムのコントロールシグナリングに係る。
【背景技術】
【０００２】
本章は、特許請求の範囲に述べる発明の背景又は状況を示すものである。ここでの説明は、遂行はできるが必ずしも以前に考案され又は遂行されたものではない概念を含むかもしれない。それ故、特に指示のない限り、本章に述べることは、本出願の明細書及び特許請求の範囲に対する従来技術ではなく、且つ本章に含ませることにより従来技術であると認めるものではない。
【０００３】
明細書及び／又は図面に見られる以下の省略形は、次のように定義される。
３ＧＰＰ：第３世代パートナーシッププロジェクト
ＡＣＫ：確認
ＣＣ：コンポーネントキャリア
ＣＣＥ：コントロールチャンネルエレメント
ＣＭ：キュービックメトリック
ＤＬ：ダウンリンク（ＵＥに向かうｅＮＢ）
ＤＴＸ：不連続送信
ｅＮＢ：ＥＵＴＲＡＮ  Ｎｏｄｅ  Ｂ（進化型ノードＢ）
ＦＤＤ：周波数分割デュープレックス
ＥＵＴＲＡＮ：進化型ＵＴＲＡＮ（ＬＴＥ、時々３．９Ｇと称される）
ＣＱＩ：チャンネルクオリティインジケータ
ＦＤＤ：周波数分割デュープレックス
ＦＤＭＡ：周波数分割多重アクセス
ＦＤＰＳ：周波数ドメインパケットスケジューラ
ＨＡＲＱ：ハイブリッド自動リピート要求
ＨＯ：ハンドオーバー
ＬＢ：長いブロック
ＬＴＥ：長期進化
ＮＡＫ／ＮＡＣＫ：確認せず又は否定確認
ノードＢ：ベースステーション
ＰＲＢ：物理的リソースブロック
ＰＤＣＣＨ：物理的ダウンリンクコントロールチャンネル
ＰＤＳＣＨ：物理的ダウンリンク共有チャンネル
ＰＵＣＣＨ：物理的アップリンクコントロールチャンネル
ＲＳ：基準信号
ＳＣ−ＦＤＭＡ：単一キャリア周波数分割多重アクセス
ＳＵ−ＭＩＭＯ：単一ユーザマルチ入力マルチ出力
ＴＤＤ：時分割デュープレックス
ＵＥ：ユーザ装置
ＵＬ：アップリンク（ｅＮＢに向かうＵＥ）
ＵＴＲＡＮ：ユニバーサル地上無線アクセスネットワーク
【０００４】
進化型ＵＴＲＡＮ（ＥＵＴＲＡＮ、これは、ＵＴＲＡＮ−ＬＴＥ又はＥ−ＵＴＲＡとも称される）として知られた通信システムは、３ＧＰＰ内で現在開発中である。ここで特定するように、ＤＬアクセス技術は、直交周波数分割多重アクセス（ＯＦＤＭＡ）であり、そしてＵＬアクセス技術は、ＳＣ−ＦＤＭＡである。
【０００５】
１つの当該仕様は、３ＧＰＰ  ＴＳ  ３６．３００、Ｖ８．６．０(２００８−０９)、第３世代パートナーシッププロジェクト；技術仕様グループ無線アクセスネットワーク；進化型ユニバーサル地上無線アクセス（Ｅ−ＵＴＲＡ）及び進化型ユニバーサル地上アクセスネットワーク（Ｅ−ＵＴＲＡＮ）；全体的記述；ステージ２（リリース８）であり、これらは、参考としてここにそのまま援用される。
【０００６】
図１は、３ＧＰＰ  ＴＳ  ３６．３００の図４．１を再現したもので、Ｅ−ＵＴＲＡＮシステムの全体的アーキテクチャーを示す。ＥＵＴＲＡＮシステムは、ｅＮＢを備え、これは、ＥＵＴＲＡユーザプレーン（パケットデータ収斂プロトコルＰＤＣＰ／無線リンクコントロールＲＬＣ／メディアアクセスコントロールＭＡＣ／物理的ＰＨＹ）と、ユーザ装置ＵＥに向かうコントロールプレーン（無線リソースコントロールＲＲＣ）プロトコルターミネーションとを与えるものである。ｅＮＢは、Ｘ２インターフェイスによって互いに相互接続される。又、ｅＮＢは、Ｓ１インターフェイスにより進化型パケットコア（ＥＰＣ）にも接続され、より詳細には、Ｓ１  ＭＭＥインターフェイスによりＭＭＥ（移動マネージメントエンティティ）に、そしてＳ１インターフェイスによりサービングゲートウェイ（Ｓ−ＧＷ）にも接続される。Ｓ１インターフェイスは、ＭＭＥ／Ｓ−ＧＷとｅＮＢとの間に多対多の関係をサポートする。
【０００７】
これらの技術に対する限定環境ではないが、ここで特に関心があるものは、３ＧＰＰ  ＬＴＥリリース９（及びそれを越えて将来に向けたインターナショナルモバイルテレコミュニケーションＩＭＴ−Ａシステム、例えば、ＬＴＥリリース１０）であり、これは、ここでは、便宜上、Ｒｅｌ−９、又はＬＴＥ進歩型（ＬＴＥ−Ａ、時々４．０Ｇとも言う）と称される。現在のＬＴＥシステムは、リリース８又はＲｅｌ−８である。ここで更に関心があるものは、コンポーネントキャリア（ＣＣ）集成技術と共に帯域巾拡張的に（例えば、１００ＭＨｚまで）ＴＤＤ又はＦＤＤモードを使用する展開シナリオである。これは、図２に示されており、各々２０ＭＨｚの５つの隣接キャリアがあって、１００ＭＨｚのＬＴＥ−Ａ帯域巾に広がっている。図２に示すように、あるキャリア（４及び５）は、Ｒｅｌ．８に適合し、それ故、Ｒｅｌ−８ターミナル／ＵＥによってアクセスできるが、他のキャリア（１から３）は、Ｒｅｌ−９キャリアであり、Ｒｅｌ−８のもとで動作するがＲｅｌ−９では動作しないターミナル／ＵＥには適合しない。他の展開は、適合する５つのキャリアＲｅｌ−８を全て見つけることであり、リリース１０は、コンポーネントキャリア適合性の異なる構成を有する。２０ＭＨｚ巾であるかどうかに関わらず、これら隣接キャリアの各々は、コンポーネントキャリア（ＣＣ）と称される。
【０００８】
ＬＴＥ  Ｒｅｌ−８  ＵＥは、ＬＴＥ−Ａシステムにおいて動作できねばならないことが決定された。Ｒｅｌ−９に向かって進化する際に、Ｒｅｌ−８（Ｅ−ＵＴＲＡＮ）との後方互換性を維持することは、重要な問題である。例えば、図２の構成で示されるように、Ｒｅｌ−８  ＵＥは、それに対応するＲｅｌ−９システムにアクセスできねばならず、そしてＲｅｌ−９  ＵＥは、それに対応するＲｅｌ−８システムのアクセスできねばならない。Ｒｅｌ−８  ＵＥが、３ＧＰＰで指定された２０ＭＨｚまでの拡張可能なシステム帯域巾（例えば、１０ＭＨｚ  ＴＤＤ又は２０ＭＨｚ  ＴＤＤ）動作することができ、そしてこの帯域巾がＲｅｌ−９に対して１００ＭＨｚまで拡張されるとすれば、Ｒｅｌ−９無線システムは、おそらく、少なくとも１つのＲｅｌ−８適合キャリアを有する拡張可能なマルチキャリアシステムとして構成することができる。
【０００９】
明らかなように、Ｒｅｌ−８システムとＲｅｌ−９システムとの間の互換性を維持するよう試みる際には、例えば、アップリンクコントロールチャンネルの設計及びそのコントロールチャンネルの最適化において、多数の問題が生じる。インターナショナルテレコミュニケーションユニオン（ＩＴＵ）により指定されたＬＴＥ−Ａ第４世代（４Ｇ）通信ネットワークの１つの要件は、ＬＴＥ−進歩型アップリンクシステムによりサポートされる４つまでの送信アンテナで、単一ユーザマルチ入力／マルチ出力（ＳＵ−ＭＩＭＯ）送信を行えることである。
【００１０】
Ｒｅｌ−８では、ＵＥは、物理的アップリンクコントロールチャンネル（ＰＵＣＣＨ）を経てｅＮＢへコントロール信号を送信する。これらコントロール信号は、ＡＣＫ／ＮＡＫ、チャンネルクオリティ指示子（ＣＱＩ）、及びスケジューリング要求（ＳＲ）指示子を含む。Ｒｅｌ−８のＰＵＣＣＨ概念は、ＬＴＥ−Ａへ拡張される。ＰＵＣＣＨをＬＴＥ−Ａに適応させるために、３ＧＰＰ討論へのある貢献者は、単一キャリア送信を、それが可能なときに、ターゲット（又は少なくとも１つのオプション）としなければならないことを示唆した。これは、ＣＣ特有ＨＡＲＱ及びトランスポートブロックのために、特に、ＡＣＫ／ＮＡＫシグナリングの観点からの挑戦であり、ＵＬサブフレーム当たり複数のＡＣＫ／ＮＡＫビットとなる。
【００１１】
例えば、文書Ｒ１−０９０７２４（３ＧＰＰ  ＴＳＧ  ＲＡＮ  ＷＧ１ミーティング＃５６、ギリシャ、アテネ；２００９年２月０９−１３日；ノキアシーメンスネットワーク及びノキアによる、優先権文書に証拠Ａとして添付）において、ＵＬサブフレーム当たり複数のＡＣＫ／ＮＡＫビットをシグナリングするときにＲｅｌ−８  ＴＤＤの原理を適用することにより単一キャリアプロパティが維持される。ＬＴＥ  Ｒｅｌ−８  ＴＤＤでは、非対称的ＤＬ／ＵＬ構成の場合に、ＵＥは、１つのＵＥサブフレーム中に複数のＤＬサブフレームに関連したＡＣＫ／ＮＡＫをレポートすることができる。複数のＤＬサブフレームに対するＡＣＫ／ＮＡＫシグナリングは、ＡＣＫ／ＮＡＫバンドリングモード又はＡＣＫ／ＮＡＫマルチプレクシングモードのいずれかを使用して行うことができる。
●ＡＣＫ／ＮＡＫバンドリングモードでは、時間ドメインにおいてＡＣＫ／ＮＡＫビットに対してＡＮＤオペレーションが最初に行われて、バンドリングされた１つのＡＣＫ／ＮＡＫビット（又はマルチコードワードＭＣＷ  ＤＬ送信では２ビット）を得、次いで、バンドリングされたビットは、変調され、そして最後に検出されたＤＬグラントに対応するＰＵＣＣＨチャンネルを経て送信される。
●ＡＣＫ／ＮＡＫマルチプレクシングモードでは、４つまでのＰＵＣＣＨチャンネルから選択された単一のＰＵＣＣＨチャンネルを経て２−４ビットの送信を可能にするチャンネル選択が使用される。選択されたチャンネル及び使用されるＱＰＳＫコンステレーションポイントは、（証拠Ｂとして優先権文書に添付された）３ＧＰＰ  ＴＳ３６．２１３  ｖ８５０のテーブル１０．１−２、１０．１−３、及び１０．１−４に示されたように、複数のＤＬサブフレームに対するＡＣＫ／ＮＡＫ／ＤＴＸ状態に基づいて決定される。
【００１２】
しかしながら、上述したように、４つの既存のＰＵＣＣＨチャンネルの中でのチャンネル選択では、４つまでのＡＣＫ／ＮＡＫビットしかサポートすることができない。Ｒｅｌ−８  ＴＤＤ解決策が、２つのＰＵＣＣＨフォーマット１ｂリソースで適用される場合には、チャンネル選択を経てサブフレーム当たりサポートできるのは、３つまでのＡＣＫ／ＮＡＫビットである。
【００１３】
別のプロトコルは、ＰＣＴ／ＥＰ２００９／０５３２１４であり、これは、ＬＴＥ−進歩型における改良されたＡＣＫ／ＮＡＫ送信方法に関するもので、６個までのＡＣＫ／ＮＡＫビットをサポートすると同時に、収斂の問題を回避することができる。しかしながら、これは、複数の送信アンテナを使用することにより達成されるものであるから、多くのＲｅｌ−８  ＵＥがそうであり、又、おそらく、初期のＲｅｌ−９  ＵＥもそうであろうが、１つの送信アンテナしかもたないＵＥでは、有用でない。
【００１４】
又、これら教示に関連するものとして、“Multi-Code Precoding for Sequence Modulation”と題する米国特許公告２００８／０３１０５４７  Ａ１号（公告日２００８年１２月１２日）がある。少なくともある実施形態において、そこに詳述されたマルチコードプレコーディングは、占有されたＰＵＣＣＨチャンネルに対してある要件を課し、即ちそれらチャンネルは、キュービック（立方体、三次元）メトリック（測定基準、計量）の利益を得るためには同じ又は隣接循環シフトをもたねばならない。これら要件は、文書Ｒ１−０８２５８９のものと同様である（３ＧＰＰ  ＴＳＧ  ＲＡＮ  ＷＧ１ミーティング＃５３ｂｉｓ、ポーランド、ワルシャワ；２００８年６月３０日−７月４日；ノキア及びノキアシーメンスネットワークによる、優先権文書に証拠Ｃとして添付）。
【００１５】
Ｒｅｌ−８におけるＰＵＣＣＨの更なる背景として、ＰＵＣＣＨ構造のスロット当たり７つのＳＣ−ＦＤＭＡ記号（時々、長いブロック又はＬＢと称される）が現在定義されている。サブフレームは、２つのスロットより成る。１つのＰＵＣＣＨチャンネルは、周波数ホッピングで２つの連続するスロット（即ち、１つのサブフレーム）を占有する。これらＬＢの一部分は、コヒーレントな復調のための基準信号（ＲＳ部分、Ｒｅｌ−８におけるコンピュータサーチのゼロ自己相関コードＺＡＣシーケンス）として使用される。残りのＬＢは、コントロール及び／又はデータ送信（データ部分）として使用される。ＬＴＥ  Ｒｅｌ−８では、１つの物理的リソースブロックＰＲＢが、７つの記号の間に１２個のサブキャリアより成り、そして１つのＰＲＢは、データ部分及びＲＳ部分を含む。データ部分及びパイロット部分の両方に対してＰＵＣＣＨフォーマット１／１ａ／ｂチャンネルには２つのタイプのコード分割多重化が使用される：循環シフト及びカバーコード。循環シフトの多重化は、異なる循環シフト間にほぼ完全な直交性を与える（循環シフトの長さが無線チャンネルの遅延拡散より大きい場合に）。Ｒｅｌ−８は、１つのＬＢ内に１２までの直交循環シフトを与える。直交カバーコード（例えば、ウォルシュ又は離散的フーリエ変換ＤＦＴ拡散）は、ＲＳ部分に対応するＬＢ及びデータ部分に対応するＬＢに対して別々に使用される。ＣＱＩ（ＰＵＣＣＨフォーマット２／２ａ／２ｂ）は、典型的に、直交カバリングを伴わずにＲｅｌ−８において送信される。
【発明の概要】
【発明が解決しようとする課題】
【００１６】
従って、従来技術では、ＵＥがサブフレーム当たり複数のＵＥコントロールチャンネルリソース（例えば、２つ以上のリソース）を占有する場合にＡＣＫ／ＮＡＫのようなアップリンクコントロール信号をシグナリングする改良された仕方が要望されている。
【課題を解決するための手段】
【００１７】
本発明の規範的な実施形態は、その第１の態様において、少なくとも１つのプロセッサと、コンピュータプログラムインストラクションを記憶する少なくとも１つのメモリとを備えた装置を提供する。この第１の態様において、コンピュータプログラムインストラクションを伴う少なくとも１つのメモリは、その装置が、少なくとも、アップリンクシグナリングに使用できるＸ個のアップリンクコントロールチャンネルリソースがあることを決定し；そのＸ個のアップリンクコントロールチャンネルリソースの各々を、独特の時刻を各々定義する複数のサブチャンネルへとサブチャンネル化し；コントロール情報のＹ個のユニットの各々に対してサブチャンネルの１つと変調との独特の組み合わせを選択し、ここで、Ｘ及びＹは、各々、１より大きな整数であり；そして各々の選択された組み合わせに基づきＸ個のアップリンクコントロールチャンネルリソースに関するコントロール情報のＹ個のユニットを送信する；ようにさせるよう少なくとも１つのプロセッサとで構成される。
【００１８】
本発明の規範的な実施形態は、その第２の態様において、アップリンクシグナリングに使用できるＸ個のアップリンクコントロールチャンネルリソースがあることを決定する段階と、そのＸ個のアップリンクコントロールチャンネルリソースの各々を、独特の時刻を各々定義する複数のサブチャンネルへとサブチャンネル化する段階と、コントロール情報のＹ個のユニットの各々に対してサブチャンネルの１つと変調との独特の組み合わせを選択する段階であって、Ｘ及びＹは、各々、１より大きな整数である段階と、各々の選択された組み合わせに基づきＸ個のアップリンクコントロールチャンネルリソースに関するコントロール情報のＹ個のユニットを送信する段階と、を備えた方法を提供する。
【００１９】
本発明の規範的な実施形態は、その第３の態様において、コンピュータプログラムインストラクションを記憶するコンピュータ読み取り可能なメモリを提供する。この第３の態様において、記憶されたコンピュータプログラムインストラクションは、少なくとも１つのプロセッサによって実行されたときに、アップリンクシグナリングに使用できるＸ個のアップリンクコントロールチャンネルリソースがあることを決定し；そのＸ個のアップリンクコントロールチャンネルリソースの各々を、独特の時刻を各々定義する複数のサブチャンネルへとサブチャンネル化し；コントロール情報のＹ個のユニットの各々に対してサブチャンネルの１つと変調との独特の組み合わせを選択し、ここで、Ｘ及びＹは、各々、１より大きな整数であり；そして各々の選択された組み合わせに基づきＸ個のアップリンクコントロールチャンネルリソースに関するコントロール情報のＹ個のユニットを送信する；ことを含むアクションを生じさせる。
【００２０】
本発明の規範的な実施形態のこれら及び他の態様は、添付図面を参照して以下に詳細に説明する。
【図面の簡単な説明】
【００２１】
【図１】３ＧＰＰ  ＴＳ  ３６．３００の図４を再現したもので、Ｅ−ＵＴＲＡＮシステムの全体的アーキテクチャーを示す。
【図２】ＬＴＥ−Ａのための１００ＭＨｚ帯域巾を一緒に作り上げる５つの隣接２０ＭＨｚ帯域巾を示す概略図である。
【図３Ａ】本発明の規範的な実施形態の具現化に使用するのに適した種々の電子装置の簡単なブロック図である。
【図３Ｂ】図３Ａに示すようなユーザ装置の特殊なブロック図である。
【図４Ａ】本発明の規範的な実施形態によるデータ／基準信号ベースのサブチャンネル化のテーブル表示である。
【図４Ｂ】図４Ａと同様であるが、本発明の規範的な実施形態によるスロットベースのサブチャンネル化を示す。
【図５Ａ】本発明の規範的な実施形態を、アップリンクコントロールチャンネルの他の技術と比較するシミュレーションの実行をプロットしたグラフである。
【図５Ｂ】本発明の規範的な実施形態を、アップリンクコントロールチャンネルの他の技術と比較するシミュレーションの実行をプロットしたグラフである。
【図６】本発明の規範的な実施形態による方法の動作と、コンピュータ読み取り可能なメモリに入れられたコンピュータプログラムインストラクションの実行の結果を示す論理フローチャートである。
【発明を実施するための形態】
【００２２】
ＵＥがサブフレーム当たり２つ（以上）のＰＵＣＣＨリソースを占有する場合にＵＬ  ＡＣＫ／ＮＡＫペイロードを改善するため、本発明者は、貴重な解決策が、好ましくは、低いキュービックメトリックを有し、Ｒｅｌ−８のチャンネル化構造を再使用することにより後方互換性とされ、そしてサブフレーム当たり少なくとも４つのビットをサポートして、全部で１６のＡＣＫ／ＮＡＫ／ＤＴＸ状態を満足することを考えた（例えば、異なるＡＣＫ／ＮＡＫ／ＤＴＸ状態について上述した３ＧＰＰ  ＴＳ  ３６．２１３、ｖ８．５．０の第１０章を参照されたい）。ＰＵＣＣＨリソースは、循環シフト及びカバーコードの組み合わせにより定義されると考えられる。以下に詳述する規範的なコントロールシグナリングスキームは、任意のフォーマット１ａ／１ｂでのＰＵＣＣＨに対するペイロード／性能を、Ｒｅｌ−８の同じフォーマットでの既存のＰＵＣＣＨに対する現在ペイロード／性能と比較して高めることができる。
【００２３】
不連続送信ＤＴＸ及びキュービックメトリックＣＭは、この技術で良く知られた用語であり、ＡＣＫ／ＮＡＫビットのアップリンクコントロールシグナリングの状況におけるＤＴＸは、物理的ダウンリンク共有チャンネルＰＤＳＣＨの予め定義されたコードワードに関するものである。ＰＤＣＣＨを経て送信されるＤＬリソース割り当てが失敗したと思われる場合には、ＵＥは、ＵＬにおいてＡＣＫ／ＮＡＫを送信する理由がない。これは、ＡＣＫ／ＮＡＫシグナリングの観点からのＤＴＸである。ＣＭは、モバイルハンドセット／ＵＥの典型的な電力増幅器の電力能力の実際の減少又は電力ディレーティングのメトリックである。これは、最近一般的に使用されたピーク対平均電力比（ＰＡＲ）より有効なメトリックと考えられる。
【００２４】
本発明の規範的な実施形態は、全ＰＵＣＣＨリソースセットからの２つ以上のＰＵＣＣＨリソース（フォーマット１ａ／１ｂ）が個々のＵＥに利用できるという仮定で開始される。前記背景で述べたように、Ｒｅｌ−８と一貫して、これら２つのＰＵＣＣＨリソースの各々は、基準信号（ＲＳ）部分又はデータ部分に適用される。これら教示の規範的実施形態によれば、これら２つのＰＵＣＣＨリソースの各々が２つのサブチャンネルに適用される。
【００２５】
このサブチャンネル化を行うための２つの規範的な仕方を以下に詳細に述べる。１つの例では、サブチャンネル化は、（図４Ａに示す）フォーマット１ａ／１ｂの既存のデータ／ＲＳ分割でＰＵＣＣＨリソースを選択することに基づき、別の例では、サブチャンネル化は、（図４Ｂに示す）各スロットでＰＵＣＣＨリソースを選択することに基づく。これら２つの例を以下に詳細に述べるが、それらは、全てのサブチャンネル化技術を表すものではなく、他のものも、特に、ＬＴＥ  Ｒｅｌ−８及びＲｅｌ−９以外で使用することについては、ここでの広い教示と一貫して使用されてもよい。サブチャンネルは、利用できるサブチャンネルの１つ（例えば、図４Ａのオプションについては、データブロック又はＲＳブロック、或いは図４Ｂのオプションについては、スロット内のリソース）だけが、所与の時刻又は時点に送信するために選択されるように形成される。それ故、いずれのオプションでも、サブチャンネル間に固有の時分割多重化が行われる。コントロール情報（例えば、個々のＡＣＫ／ＮＡＫに対する個々のビット）は、サブチャンネルリソース選択と変調との組み合わせとして搬送される。
【００２６】
本発明の規範的な実施形態を以下に詳細に説明する前に、本発明の規範的な実施形態の具現化に使用するのに適した種々の電子デバイス及び装置の簡単なブロック図である図３Ａを参照する。図３Ａにおいて、ワイヤレスネットワーク１は、ネットワークアクセスノード、例えば、ノードＢ（ベースステーション）、特に、ｅＮＢ１２を経て、ワイヤレスリンク１１を越えて、ＵＥ１０と称される装置、例えば、移動通信装置又はターミナルと通信するようにされる。ＵＥ１０からｅＮＢ１２へのワイヤレスリンク１１にはＰＵＣＣＨが存在する。そのＰＵＣＣＨ上でＵＥ１０がＡＣＫ／ＮＡＫするところのデータ又はシグナリングは、そのワイヤレスリンク１１のダウンリンク側を経て送信される（又はＵＥにより予想される）。ネットワーク１は、ネットワークコントロールエレメント（ＮＣＥ）１４を含み、これは、図１に示すＭＭＥ／Ｓ−ＧＷ機能を含むと共に、電話ネットワーク及び／又はデータ通信ネットワーク（例えば、インターネット）のようなネットワーク１との接続を与える。
【００２７】
ＵＥ１０は、コンピュータ又はデジタルデータプロセッサ（ＤＰ）１０Ａのようなコントローラと、コンピュータインストラクション（ＰＲＯＧ）１０Ｃのプログラムを記憶するメモリ（ＭＥＭ）１０Ｂとして実施されるコンピュータ読み取り可能なメモリ媒体と、１つ以上のアンテナを経てｅＮＢ１２と両方向ワイヤレス通信するための適当な高周波（ＲＦ）トランシーバ１０Ｄとを備えている。図３Ａには、１つのアンテナが示されているが、他の実施形態では、図３Ｂに示すように、複数の送信アンテナを有してもよいことを理解されたい。又、ｅＮＢ１２は、コンピュータ又はデータプロセッサ（ＤＰ）１２Ａのようなコントローラと、コンピュータインストラクション（ＰＲＯＧ）１２Ｃのプログラムを記憶するメモリ（ＭＥＭ）１２Ｂとして実施されるコンピュータ読み取り可能なメモリ媒体と、１つ以上のアンテナ（図３Ａには１つが示されているが、典型的に、ｅＮＢ１２は、アンテナアレイを有する）を経てＵＥ１０と通信するための適当なＲＦトランシーバ１２Ｄとを備えている。ｅＮＢ１２は、データ／コントロール経路１３を経てＮＣＥ１４に結合される。経路１３は、図１に示したＳ１インターフェイスとして具現化される。又、ｅＮＢ１２は、図１に示したＸ２インターフェイスとして具現化されるデータ／コントロール経路１５を経て別のｅＮＢにも結合される。
【００２８】
ＰＲＯＧ  １０Ｃ及び１２Ｃの少なくとも一方は、以下に詳細に述べるように、関連ＤＰにより実行されたときに、本発明の規範的実施形態に基づいて装置が動作できるようにするプログラムインストラクションを含むものと仮定する。
【００２９】
即ち、本発明の規範的実施形態は、ＵＥ１０のＤＰ１０Ａ及び／又はｅＮＢ１２のＤＰ１２Ａにより実行できるコンピュータソフトウェアにより、又はハードウェアにより、或いはソフトウェア及びハードウェア（並びにファームウェア）の組み合わせにより、少なくとも一部分具現化することができる。
【００３０】
本発明の規範的な実施形態の説明上、ＵＥ１０は、サブチャンネル化ブロック１０Ｅも含み、そしてｅＮＢ１２は、サブチャンネル化マッパー１２Ｅも含むものと仮定する。これらは、各ＤＰ１０Ａ、１２Ａにおいて具現化されてもよいし、或いは各装置１０、１２内の他のハードウェア又はソフトウェアにおいて具現化されてもよい。原理的には、サブチャンネル化ブロック１０Ｅは、ＵＥ１０がＰＵＣＣＨをサブチャンネル化できるようにし、ここに詳述する変調を決定すると共に、適当なＡＣＫ／ＮＡＫを、ＰＵＣＣＨを経て送信するためにサブチャンネル及び変調の各独特の組み合わせで発信できるようにし、そしてサブチャンネル化マッパー１２Ｅは、ｅＮＢ１２が、ＰＵＣＣＨを経て受信したＡＣＫ／ＮＡＫビットを、そのＡＣＫ／ＮＡＫビットにより定義されたサブチャンネル化及び変調の組み合わせを使用してデコードできるようにする。
【００３１】
一般的に、ＵＥ１０の種々の実施形態は、次のものに限定されないが、セルラー電話、ワイヤレス通信能力を有するパーソナルデジタルアシスタント（ＰＤＡ）、ワイヤレス通信能力を有するポータブルコンピュータ、ワイヤレス通信能力を有するデジタルカメラのような画像捕獲装置、ワイヤレス通信能力を有するゲーム機、ワイヤレス通信能力を有する音楽記憶・再生機器、ワイヤレスインターネットアクセス及びブラウジングを許すインターネット、並びにそのような機能を組み合わせて組み込んだポータブルユニット又はターミナルを包含することができる。
【００３２】
コンピュータ読み取り可能なＭＥＭ１０Ｂ及び１２Ｂは、ローカルの技術的環境に適した任意のタイプでよく、そして適当なデータ記憶技術、例えば、半導体ベースのメモリ装置、フラッシュメモリ、磁気メモリ装置及びシステム、光学的メモリ装置及びシステム、固定メモリ、及び取り外し可能なメモリを使用して具現化することができる。ＤＰ１０Ａ及び１２Ａは、ローカルの技術的環境に適した任意のタイプでよく、そして汎用コンピュータ、特殊目的のコンピュータ、マイクロプロセッサ、デジタル信号プロセッサ（ＤＳＰ）、及びマルチコアプロセッサアーキテクチャーをベースとするプロセッサを非限定例として含む。
【００３３】
図３Ｂは、規範的なＵＥを平面図（左）及び断面図（右）の両方で更に詳細に示し、そして本発明は、これらの機能特有コンポーネントの１つ以上の組み合わせで実施される。図３Ｂにおいて、ＵＥ１０は、グラフィック表示インターフェイス２０及びユーザインターフェイス２２を有し、このユーザインターフェイス２２は、キーパッドとして示されているが、グラフィック表示インターフェイス２０におけるタッチスクリーン技術及びマイクロホン２４で受け取られる音声の認識技術も包含するものと理解されたい。電源アクチュエータ２６は、ユーザによる装置のオン／オフ切り換えをコントロールする。規範的なＵＥ１０は、カメラ２８を有し、これは、前方を向いて（例えば、ビデオコールのために）示されているが、それとは別に又はそれに加えて、後方を向いてもよい（例えば、ローカル記憶の画像及びビデオを捕獲するために）。カメラ２８は、シャッターアクチュエータ３０により及び任意であるがズームアクチュエータ３２によりコントロールされ、このズームアクチュエータは、それとは別に、カメラ２８が作動モードにないときには、スピーカ３４の音量調節器として機能することもできる。
【００３４】
図３Ｂの断面図には、典型的にセルラー通信に使用される複数の送信／受信アンテナ３６が見える。ある実施形態では、ＵＥ１０は、４つ（又はそれ以上）の送信アンテナ３６を有するが、他の実施形態では、ＵＥ１０は、１つの送信アンテナ３６しかもたず、いずれの場合でも、異なるＵＥが、ここに詳述する同じサブチャンネル化手順を使用することができる。というのは、サブチャンネル化は、必ずしも、ＭＩＭＯ送信経路に結び付いていないからである。アンテナ３６は、任意であるが、ＵＥの他の無線に使用するために多帯域であってもよい。アンテナ３６に対して動作できるグランドプレーンは、ＵＥハウジングにより包囲された全スペースに及ぶものとして陰影付けされて示されているが、ある実施形態では、グランドプレーンは、電力チップ３８が形成されるプリント配線板に位置する小さなエリアに限定されてもよい。電力チップ３８は、送信されるチャンネルにおいて及び／又は空間的ダイバーシティが使用される場合には同時に送信するアンテナにわたって電力増幅をコントロールすると共に、受信信号を増幅する。電力チップ３８は、増幅された受信信号を高周波（ＲＦ）チップ４０へ出力し、これは、信号を基本帯域処理のために復調し、ダウン変換する。基本帯域（ＢＢ）チップ４２は、信号を検出し、信号は、次いで、ビットストリームに変換され、最終的に、デコードされる。装置１０に発生されてそこから送信される信号についても、同様の処理が逆に行われる。
【００３５】
カメラ２８への及びそこからの信号は、画像／ビデオプロセッサ４４を通過し、これは、種々の画像フレームをエンコード及びデコードする。又、個別のオーディオプロセッサ４６も存在して、スピーカ３４及びマイクロホン２４への及びそこからの信号をコントロールする。グラフィック表示インターフェイス２０は、ユーザインターフェイスチップ５０によりコントロールされるフレームメモリ４８からリフレッシュされ、そのユーザインターフェイスチップ５０は、表示インターフェイス２０への及びそこからの信号を処理し、及び／又は更に、キーパッド２２及び他のどこかからのユーザ入力を処理する。
【００３６】
又、ＵＥ１０のある実施形態は、ワイヤレスローカルエリアネットワーク無線ＷＬＡＮ３７及びＢｌｕｅｔｏｏｔｈ（登録商標）無線３９のような１つ以上の二次無線も備え、これは、アンテナオンチップを組み込むか、又はオフチップアンテナに結合される。装置全体にわたりランダムアクセスメモリＲＡＭ４３、リードオンリメモリＲＯＭ４５のような種々のメモリがあると共に、ある実施形態では、種々のプログラム１０Ｃが記憶される図示されたメモリカード４７のような取り外し可能なメモリがある。ＵＥ１０内のこれら全てのコンポーネントは、通常、バッテリ４９のようなポータブル電源によって付勢される。
【００３７】
前記プロセッサ３８、４０、４２、４４、４６、５０は、ＵＥ１０又はｅＮＢ１２内の個別のエンティティとして実施される場合には、メインプロセッサ１０Ａ、１２Ａに対してスレーブ関係で動作し、従って、メインプロセッサは、それらに対してマスター関係にある。サブチャンネル化及び変調に関する本発明の規範的実施形態は、基本帯域チップ４２において具現化されるが、他の実施形態は、そこに配置される必要がなく、図示された種々のチップ及びメモリにわたって配置されてもよいし、或いは図３Ｂについて上述した幾つかの機能を結合する別のプロセッサ内に配置されてもよいことに注意されたい。図３Ｂのこれら種々のプロセッサのいずれか又は全部が、それらプロセッサとオンチップであるか又はそれとは個別である種々のメモリの１つ以上にアクセスする。ピコネット（例えば、コンポーネント３６、３８、４０、４２−４５及び４７）より広いネットワークを経て通信するように向けられる同様の特定機能コンポーネントも、図３Ｂに示す２つのアンテナではなくタワーマウントアンテナのアレイを有するアクセスノード１２の規範的な実施形態において配置される。
【００３８】
上述した種々のチップ（例えば、３８、４０、４２、等）は、上述したものより少数へと合成されてもよいし、最もコンパクトなケースでは、その全部が物理的に単一チップ内で実施されてもよいことに注意されたい。
【００３９】
本発明の規範的な実施形態について特に詳細に説明する。上述したように、ＵＥ１０は、ＰＵＣＣＨリソースの全セットから利用できるところの２つ以上のＰＵＣＣＨリソース（フォーマット１ａ／１ｂ）を有する。ＰＵＣＣＨリソースを利用できるようにする種々の仕方があり、それらがどのようにＵＥに利用できるようにされるかは、ＵＥがどのようにサブチャンネル化手順を遂行するかをコントロールするものではない。一例に過ぎないが、ＳＵ−ＭＩＭＯをプロビジョニングするＡＣＫ／ＮＡＫリソースがあり；２つのＰＵＣＣＨリソースが、１つのＤＬリソースグラントの異なるコントロールチャンネルエレメントＣＣＥに対応してもよいし；１つのＰＵＣＣＨチャンネルが、その対応するＤＬグラントの最下位ＣＣＥに基づいて導出される一方、第２のＰＵＣＣＨチャンネルが、第１のＰＵＣＣＨチャンネルに対する論理的オフセット値に基づいて決定されてもよく（例えば、オフセット値は、動的に又は半静的に定義することができ）；或いは両方のＰＵＣＣＨチャンネルをチャンネル選択に基づいて導出することもできる。
【００４０】
しかしながら、これらのＰＵＣＣＨが利用できるようにされ、これは、アップリンクシグナリングに利用できるＸ個のアップリンクコントロールチャンネル（ＰＵＣＣＨ）リソースがあることを決定することとして一般的に述べられ、これらの例ではコントロールチャンネルリソースがＰＵＣＣＨ（フォーマット１ａ／１ｂ）であり、アップリンクシグナリングがＡＣＫ及び／又はＮＡＫシグナリングであり、そしてＸは、１より大きな整数である。Ｘ個のＰＵＣＣＨリソースが同時に利用できることを理解されたい。それらは、ＵＥに対して利用でき、そしてｅＮＢは、それらのＰＵＣＣＨにおいてそのＵＥからのシグナリングを予想する。
【００４１】
しかしながら、これらの２つのＰＵＣＣＨリソースは、ＵＥに対して利用できるようにされ、ＰＵＣＣＨチャンネルがＲＳ部分及びデータ部分を有し、そして２つのスロットを占有することを想起されたい。ＵＥのサブチャンネル化は、２つのＰＵＣＣＨリソースの各々を２つのサブチャンネルへ分散させる。これらは、占有ＰＵＣＣＨとも称される。というのは、ＵＥがこれらのＰＵＣＣＨを送信するときにＡＣＫ／ＮＡＫビットで占有されるからである。一般的に言うと、ＵＥは、Ｘ個のアップリンクコントロールチャンネルリソースの各々を、独特の時刻を各々定義する複数のサブチャンネルへとサブチャンネル化する。
【００４２】
１つの規範的な態様において、サブチャンネル化は、１つの確かなデータ又は基準信号部分においてＸ個の利用可能なＰＵＣＣＨリソースの１つを選択することに基づく。これは、ここでは、データ／ＲＳベース直交リソース送信ダイバーシティと称される。
【００４３】
それは、１つのスロット内にＸ個のリソースが存在するのでスロット内サブチャンネル化であり、そして図４ＡにおいてＸ＝２占有ＰＵＣＣＨフォーマット１ａ／１ｂリソースの初期状態から進行するように示されている。この例示では、図４Ｂと同様に、２つの利用可能なＰＵＣＣＨリソースがリソースインデックス＃０及び＃８であり、それらは、同じ物理的リソースブロックＰＲＢのもとに配置される。これは、スロットベースのＯＲＴの場合に必須の要件ではなく、即ち２つのＰＵＣＣＨリソースを異なるＰＲＢにも配置できることに注意されたい。図４Ａには２つのサブチャンネルがあることに注意されたい。サブチャンネル０は、データ部分として定義され、そしてサブチャンネル１は、ＲＳ部分として定義される。１つの規範的な実施形態では、リソース＃０をサブチャンネル０に適用し、そしてリソース＃０をサブチャンネル１に適用することにより、ビットシーケンス“００”が搬送される。他のビットシーケンスについても、同様のことが言える。
【００４４】
データ／ＲＳベースのＯＲＴ送信についての図４Ａのケースを続けると、スロットの境界においてデータブロックとＲＳブロックとの間で選択されたＰＵＣＣＨリソースが交換される場合には、占有ＰＵＣＣＨ当たりの、よりバランスの取れた電力を得ることができる。従って、例えば、ビットシーケンス“０１”は、スロット＃０において（データ（“８”）、ＲＳ（“０”））として、次いで、スロット＃１において（データ（“０”）、ＲＳ（“８”））として送信することができる。
【００４５】
図４Ｂに示す別の規範的態様では、サブチャンネル化は、サブフレーム内の１つの確かなスロットにおいてＸ個の利用可能なＰＵＣＣＨリソースの１つを選択することをベースとしている。これは、ここでは、スロットベースのＯＲＴ又はスロット間ＯＲＴと称される。というのは、サブチャンネル化が異なるスロット間で行われるからである。このサブチャンネル化技術を示す図４Ｂにおいて、ここでも、同じＰＲＢのＰＵＣＣＨリソースインデックス＃０及び＃８と、Ｘ＝２の利用可能なリソースとを使用する。しかし、このケースでは、サブチャンネル０は、サブフレームのスロット０として定義され、そしてサブチャンネル１は、サブフレームのスロット１として定義される。もちろん、ＰＵＣＣＨの異なるスロット０及び１が異なる時刻に発生する。図４Ｂに示されたように、リソース＃０をサブチャンネル０に適用し、そしてリソース＃０をサブチャンネル１に適用することにより、ビットシーケンス“００”が搬送される。他のビットシーケンスについても同じことが言える。
【００４６】
図４Ａ−４Ｂのテーブルは、同一であるが、ＵＥ１０及びｅＮＢ１２の両方がビットシーケンスとリソースインデックス番号との間のマッピングを前もって知る限り、特定の具現化において容易に変更することができる。ビットシーケンス００、０１、１０及び１１は、各々、利用可能なＰＵＣＣＨリソースの独特な組み合わせへとマップされる。
【００４７】
２つの利用可能なＰＵＣＣＨリソースに基づいて、各サブチャンネルのリソース選択を使用して２つまでのＡＣＫ／ＮＡＫビットを搬送することができる（が、もちろん、ビットシーケンスのマッピング及びサブチャンネル内のリソースに基づいて１ビットマッピングはオプションでもあり、従って、例えば、ビット“０”は、リソース番号“０、０”に対応し、そしてビット“１”は、リソース番号“８、８”に対応する）。更に、ＢＰＳＫ又はＱＰＳＫ変調を経て１又は２ＡＣＫ／ＮＡＫビットを搬送することができる。
【００４８】
このように、上述したＲＳ／データベース（スロット内）ＯＲＴ及びスロットベース（スロット間）ＯＲＴの両サブチャンネル化態様では、ＵＥは、サブチャンネル選択により２つのみの利用可能なＰＵＣＣＨリソース、即ち２つまでのビットを使用して４つまでのビットを送信し、そして選択されたサブチャンネルを経て既知のＰＵＣＣＨ記号変調技術を使用して（１つ又は）２つの付加的なビットを送信することができる。
【００４９】
本発明の特定の規範的実施形態を詳細に述べたが、これら実施形態を実際にどのように利用するかに関して特定の具現化に対する幾つかの使用ケースを以下に詳細に述べる。これらも例示に過ぎず、ここに述べる広い教示に限定するものではない。
【００５０】
第１の使用ケースでは、ＰＵＣＣＨフォーマット１ａ／１ｂでのペイロードが、単一コード送信に対応するキュービックメトリックと共に増加される。比較のための基準ケースは、２つのＰＵＣＣＨフォーマット１ｂチャンネル（マルチコード）を経ての同時送信である。これらの教示に基づく具現化は、基準ケースにおいてそのマルチコード送信により生じるキュービックメトリックの増加を、本発明の前記規範的実施形態による具現化ではサブチャンネルの設計により回避できるという点で、前記比較基準ケースに勝る改善を与える。更に、基準ケースは、並列コードチャンネル間の電力分割で悩まされ、更に、これらの教示による具現化では、増加したペイロードを、ＡＣＫ／ＮＡＫシグナリングに使用するだけではなく、スケジューリング要求のような他のコントロール信号にも使用することができる。例えば、スケジューリング要求のケースでは、２つのリソースは、２つのＰＵＣＣＨフォーマット１ａ／１ｂリソースではなく、ＰＵＣＣＨフォーマット１及びＰＵＣＣＨフォーマット１ａ／１ｂとなる。
【００５１】
第２の使用ケースでは、ＴＤＤ／ＣＣ集成の場合に改善されたＡＣＫ／ＮＡＫフィードバック能力がある。Ｒｅｌ−８  ＬＴＥ  ＴＤＤでは、ＰＵＣＣＨチャンネル選択をＺＡＣシーケンス変調と組み合わせて使用して４つまでのＡＣＫ／ＮＡＫビットを送信できるが、これは、Ｒｅｌ−８において４つのＰＵＣＣＨチャンネルを要求することに注意されたい。これは、あるＬＴＥ進歩型展開シナリオでは充分でない。例えば、ＬＴＥ進歩型（ＦＤＤ／ＣＣ集成）では、５つまでのコンポーネントキャリアをサポートすることが必要である（例えば、図２を参照）。これは、５つのＰＵＣＣＨチャンネルを経て５ビットのＡＣＫ／ＮＡＫを送信する必要性を生じる。既存のＲｅｌ−８解決策は、このような拡張をサポートしない。ＬＴＥ進歩型ＴＤＤでは、単一のサブフレーム中にＮｘ５  ＡＣＫ／ＮＡＫビットをサポートする必要性が生じ、Ｎは、サブフレームにおけるＤＬ／ＵＬ比に対応する。上述した規範的な実施形態では、ＰＵＣＣＨフォーマット１ａ／１ｂリソースを使用するときにＡＣＫ／ＮＡＫペイロード増加を可能にする。Ｒｅｌ−８  ＴＤＤ  ＰＵＣＣＨチャンネル選択を、上述した規範的実施形態と組み合わせることで、５つ以上のＡＣＫ／ＮＡＫビットをサポートすることができる。
【００５２】
本発明者は、４ビット／サブフレームが送信され、利用可能なＰＵＣＣＨリソースが２つのフォーマット１ｂチャンネル（Ｒ１及びＲ２）であり、そして送信アンテナ対受信アンテナの比が１／２であるという仮定のもとで性能を評価するためのリンクレベルシミュレーションを行った。
【００５３】
以下に比較するシミュレーションの４つの異なるスキームに対する更なる仮定は、次の通りである。
0005504338.tif 000002
【００５４】
スキーム１：スロットベースのＯＲＴ（単一ＣＣ及び多ＣＣのケース）：
●利用可能なリソース：
○単一ＣＣのケースにおいて同じＰＲＢ／ＣＣに配置されたＲ１及びＲ２
○多ＣＣのケースにおいて異なるＰＲＢ／ＣＣに配置されたＲ１及びＲ２
●Ｒ１及びＲ２は、４つの入力ビットのうちの２つに基づいて選択される。
○２つのビットが（０、０）の場合：スロット１及びスロット２に対してＲ１；
○２つのビットが（０、１）の場合：スロット１に対してＲ１、スロット２に対してＲ２；
○２つのビットが（１、０）の場合：スロット１に対してＲ２、スロット２に対してＲ１；
○２つのビットが（１、１）の場合：スロット１及びスロット２に対してＲ２。
●残りの２つのビットは、選択されたリソース対を経てＱＰＳＫ変調ゼロ自己相関ＺＡＣシーケンスにより送信される。
●ｅＮＢは、どのチャンネル対を使用するか決定するために盲目的検出を遂行する。
●送信器側の電力低下はない。
【００５５】
スキーム２：データ／ＲＳベースのＯＲＴ
●利用可能なリソース：
○Ｒ１及びＲ２は、同じＰＲＢ／ＣＣに配置される。
●４つの入力ビットのうちの２つを搬送するリソース選択がデータ及びＲＳ部分に対して別々になされる（図４Ａのテーブルを参照）。リソース選択は、周波数ホップ中に維持される。
●残りの２ビットは、選択されたデータ／ＲＳリソース対を経てＱＰＳＫ変調ＺＡＣシーケンスにより送信される。
●ｅＮＢは、ＲＳ及びデータ部分に対してどのリソースを使用するか決定するために盲目的検出を遂行する。
●Ｔｘにおける電力低下はない。
【００５６】
スキーム３：同時ＰＵＣＣＨフォーマット１ｂチャンネルＴｘ：
●利用可能なリソース：
○Ｒ１及びＲ２は、同じＰＲＢ／ＣＣに配置される。
●リソース選択なし、両リソースは、ＱＰＳＫ変調ＺＡＣシーケンスにより２つのビットを搬送する。
●ｅＮＢ側では盲目的チャンネル検出なし。
●マルチシーケンス送信のために増加されたキュービックメトリック。このカバレージ低下は、性能結果に考慮されていない。
●２つの並列チャンネル間の「電力分割」による各チャンネルの３ｄＢ電力低下。
【００５７】
スキーム４：１スロットＴｘ（文書Ｒ１−０８１７３０［優先権文書に証拠Ｄとして添付されたサムスンによる“Increasing PUCCH Multiplexing Capacity”と題する３ＧＰＰＴＳＧ  ＲＡＮ  ＷＧ１  ＃５３、米国、カンサスシティ、２００８年５月５−９日］に掲載された）：
●利用可能なリソース：
○１つのリソース（Ｒ１）のみ占有
●最初の２つのビットは、第１のタイムスロット中に（ＱＰＳＫ変調ＺＡＣシーケンスにより）送信され、別の２つのスロットは、第２のタイムスロット中に送信される。
●ｅＮＢ側では盲目的検出なし。
●Ｔｘにおける電力低下はない。
【００５８】
その結果が図５Ａ（ビットエラー率ＢＥＲ・対・信号対雑音比ＳＮＲ）及び図５Ｂ（ブロックエラー率ＢＬＥＲ・対・ＳＮＲ）に示されている。スキーム２においてプロットされた本発明の規範的な実施形態は、スキーム３及び４より改善されていることが明らかである。スキーム１及び２は、スキーム３の場合にはない単一キャリアプロパティを維持することができる。
【００５９】
上述したように、規範的な実施形態の具現化は、ＵＥ側に複数のアンテナを要求しないが、複数のアンテナを利用できるときには、データ／ＲＳベースのＯＲＴ（スロット内サブチャンネル化）又はスロットベースのＯＲＴ（スロット間サブチャンネル化）を、複数の送信アンテナ間での送信プレコーディング／ビーム形成と組み合わせることにより、更なる利得を得ることができる。
【００６０】
明らかなように、複数のＰＵＣＣＨ送信のための上述した規範的な実施形態は、次のような技術的な利益をもたらす。
●既存のスキーム（例えば、前記スキーム１）に関して良好な性能；
●２つの同時ＰＵＣＣＨチャンネルを経て４つまでのＡＣＫ／ＮＡＫビットで単一キャリアプロパティを保証することができ；
●同時ＰＵＣＣＨ送信によるＣＭ増加が回避され；
●ＰＵＣＣＨ送信のカバレージが改善され；
●同時ＡＣＫ／ＮＡＫチャンネルを経てＬＴＥ進歩型における付加的なＡＣＫ／ＮＡＫ／ＤＴＸ状態をサポートすることができ、即ちＦＤＤの場合には、ほぼ全てのＡＣＫ／ＮＡＫ／ＤＴＸ状態をサポートすることができ、又、ＴＤＤの場合には、ＡＣＫ／ＮＡＫ／ＤＴＸフィードバックのためにより多くのサポートを与えることができる。
●周波数ダイバーシティを改善する余地を与える（多ＣＣのケースにおいて）。
●ＵＥ側の送信アンテナの数についての要求がない。
【００６１】
又、ある実施形態では、２つのＰＵＣＣＨフォーマット１ａ／１ｂリソースを予約する必要があることを考慮しなければならない。データ／ＲＳベースのＯＲＴは、２つの占有されたＰＵＣＣＨが同じＰＲＢに配置されることを要求し、そしてスロットベースのＯＲＴは、スロットベースの周波数ホッピングにより与えられる周波数ダイバーシティが維持されることを保証するため、（単一ＣＣの場合に）占有されるＰＵＣＣＨリソース間に、ある条件を要求する。この条件の一例は、占有されるＰＵＣＣＨリソースの両方が奇数ＰＲＢ又は偶数ＰＲＢに配置されるようにそれらが割り当てられることである。
【００６２】
図６は、本発明の規範的実施形態による方法、ＵＥのような装置の動作と、コンピュータ読み取り可能なメモリに記憶されたコンピュータプログラムインストラクションの実行の結果とを示す論理フローチャートである。これらの規範的実施形態によれば、ブロック６０２において、アップリングシグナリングに対してＸ個のアップリンクコントロールチャンネルリソースが利用できることが決定される。ブロック６０４において、Ｘ個のアップリンクコントロールチャンネルリソースの各々は、独特の時刻又は時点を各々定義する複数のサブチャンネルへとサブチャンネル化される。ブロック６０６において、コントロール情報のＹ個のユニットの各々に対してサブチャンネルの１つと変調との独特の組み合わせを選択し、そしてブロック６０８において、各々の選択された組み合わせに基づき、Ｘ個のアップリンクコントロールチャンネルリソースに関するコントロール情報のＹ個のユニットを送信する。ここで、Ｘ及びＹは、各々、１より大きな整数である。
【００６３】
（Ａ）規範的な実施形態によれば、図６に詳細に示す方法、装置及びコンピュータプログラムは、複数のサブチャンネルが個々のスロットのデータ部分及び基準信号部分を含むことを特徴とする。
【００６４】
（Ｂ）別の規範的な実施形態によれば、図６に詳細に示す方法、装置及びコンピュータプログラムは、複数のサブチャンネルが異なるスロットを含み、そしてそれらスロットが互いに隣接することを特徴とする。
【００６５】
（Ｃ）規範的な実施形態によれば、図６に詳細に示す方法、装置及びコンピュータプログラムは、前記（Ａ）項又は（Ｂ）項のいずれかに任意に結合され、アップリンクコントロールチャンネルリソースは、ＰＵＣＣＨフォーマット１ａ又は１ｂリソースであり、更に、サブチャンネルの数は、複数の利用可能なＰＵＣＣＨリソースの数Ｘの２倍に等しい。ほとんどの特定の実施形態において、Ｙ＝２Ｘである。
【００６６】
（Ｄ）規範的な実施形態によれば、図６に詳細に示す方法、装置及びコンピュータプログラムは、前記（Ａ）項又は（Ｂ）項のいずれかに任意に結合され、アップリンクシグナリングは、ＡＣＫ及び／又はＮＡＫ及び／又はＤＴＸシグナリングであり、そしてコントロール情報の各ユニットは、１ビットである。
【００６７】
（Ｅ）規範的な実施形態によれば、図６に詳細に示す方法、装置及びコンピュータプログラムは、前記（Ａ）項又は（Ｂ）項のいずれかに任意に結合され、変調は、利用可能なアップリンクリソースを使用してローカルメモリにアクセスすることにより決定される（各変調は、図４Ａ−４Ｂのテーブルに示すように、メモリにおいてアップリンクリソースの対／グループに関連付けられる）。
【００６８】
（Ｆ）規範的な実施形態によれば、図６に詳細に示す方法、装置及びコンピュータプログラムは、前記（Ａ）項又は（Ｂ）項のいずれかに任意に結合され、方法は、ＵＥにより実行され、装置は、ＵＥであり、又はコンピュータプログラムメモリは、ＵＥ内に記憶される。特に、この実施形態では、そのようなＵＥは、ＬＴＥ−Ａシステムにおいて動作する。
【００６９】
図６に示す種々のブロックは、方法のステップとして、及び／又はコンピュータプログラムコードのオペテー諸ンから生じるオペレーションとして、及び／又は関連する機能を実行するように構成された複数の結合された論理回路要素として考えることができる。
【００７０】
一般的に、種々の規範的実施形態は、ハードウェア又は特殊目的回路、ソフトウェア、ロジック、或いはその組み合わせで具現化することができる。例えば、ある態様は、ハードウェアで具現化することができる一方、他の態様は、コントローラ、マイクロプロセッサ又は他のコンピューティング装置で実行されるファームウェア又はソフトウェアで具現化することができるが、本発明は、それに限定されない。本発明の規範的実施形態の種々の態様は、ブロック図やフローチャートに示して説明し、又は他の絵画的表現を使用して説明したが、ここに述べるこれらのブロック、装置、システム、技術又は方法は、非限定例として、ハードウェア、ソフトウェア、ファームウェア、特殊目的回路又はロジック、汎用ハードウェア又はコントローラ又は他のコンピューティング装置、或いはその組み合わせで具現化することができる。
【００７１】
従って、本発明の規範的実施形態の少なくとも幾つかの態様は、集積回路チップ及びモジュールのような種々のコンポーネントで実施することができ、又、本発明の規範的実施形態は、集積回路として実施される装置で実現できることが明らかである。集積回路（１つ又は複数）は、本発明の規範的実施形態に基づいて動作するように構成できるデータプロセッサ（１つ又は複数）、デジタル信号プロセッサ（１つ又は複数）、基本帯域回路、及び高周波回路、の少なくとも１つ以上を実施するための回路（及びおそらくファームウェア）を含んでもよい。
【００７２】
以上に述べた本発明の規範的実施形態に対する種々の変更及び適応は、当業者であれば、添付図面を参照して以上の説明を読んだときに容易に明らかとなるであろう。しかしながら、それらの変更は、いずれも、本発明の非限定の規範的実施形態の範囲内に包含される。
【００７３】
例えば、規範的な実施形態は、ＬＴＥ-Ａシステムに関して上述したが、本発明の規範的な実施形態は、この１つの特定形式のワイヤレス通信システムとの使用に限定されず、他のワイヤレス通信システムにも効果的に使用できることが明らかであろう。
【００７４】
「接続(connected)」、「結合(coupled)」又はその変形は、２つ以上の要素間の直接的又は間接的な接続又は結合を意味し、且つ一緒に「接続」又は「結合」される２つの要素間に１つ以上の中間要素が存在することも包含することに注意されたい。要素間の結合又は接続は、物理的、論理的又はその組み合わせである。幾つかの非限定的で且つ非徹底的な例として、ここで使用する２つの要素は、１本以上のワイヤ、ケーブル及び／又は印刷電気的接続の使用により、並びに高周波領域、マイクロ波領域及び光学的領域（可視及び非可視の両方）に波長を有する電磁エネルギーのような電磁エネルギーの使用により、一緒に「接続」又は「結合」されると考えられる。
【００７５】
本発明の種々の非限定的な規範的実施形態の幾つかの特徴は、他の特徴の対応的な使用なしに、効果的に使用できる。従って、以上の説明は、本発明の原理、教示及び規範的な実施形態の単なる例示とみなすべきであり、それを限定するものではない。
【符号の説明】
【００７６】
１：ワイヤレスネットワーク
１０：ＵＥ
１０Ａ：コンピュータ又はデジタルデータプロセッサ（ＤＰ）
１０Ｂ：メモリ（ＭＥＭ）
１０Ｃ：コンピュータインストラクションのプログラム（ＰＲＯＧ）
１０Ｄ：高周波（ＲＦ）トランシーバ
１０Ｅ：サブチャンネル化ブロック
１１：ワイヤレスリンク
１２：ｅＮＢ
１２Ａ：ＤＰ
１２Ｂ：メモリ
１２Ｃ：ＰＲＯＧ
１２Ｄ：ＲＦトランシーバ
１２Ｅ：サブチャンネル化マッパー
１３：データコントロール経路
１４：ネットワークコントロール要素（ＮＣＥ）
２０：グラフィック表示インターフェイス
２２：ユーザインターフェイス
２４：マイクロホン
２６：電源アクチュエータ
２８：カメラ
３０：シャッターアクチュエータ
３２：ズームアクチュエータ
３４：スピーカ
３６：アンテナ
３８：電力チップ
４０：高周波ＲＦチップ
４２：基本帯域（ＢＢ）チップ
４３：ランダムアクセスメモリＲＡＭ
４４：画像／ビデオプロセッサ
４５：リードオンリメモリ
４６：オーディオプロセッサ
４７：メモリカード
４８：フレームメモリ
４９：バッテリ
５０：ユーザインターフェイスチップ
【図１】
0005504338.tif 000003
【図２】
0005504338.tif 000004
【図３Ａ】
0005504338.tif 000005
【図３Ｂ】
0005504338.tif 000006
【図４Ａ】
0005504338.tif 000007
【図４Ｂ】
0005504338.tif 000008
【図５Ａ】
0005504338.tif 000009
【図５Ｂ】
0005504338.tif 000010
【図６】
0005504338.tif 000011